【手続補正書】
【提出日】平成16年2月13日(2004.2.13)
【手続補正１】
【補正対象書類名】明細書
【補正対象項目名】特許請求の範囲
【補正方法】変更
【補正の内容】
【特許請求の範囲】
【請求項１】
電装箱内に組み付けられて上記電装箱の開口から外方へ操作レバーが突出する漏電遮断器、及び、上記操作レバーを外側から覆って上記開口を塞ぐゴム状弾性体からなる防水カバーを有し、上記防水カバーの周囲に上記操作レバーを覆う部分よりも肉厚のフランジ部が一体成形され、上記電装箱の開口縁内面と上記漏電遮断器の端面との間で上記フランジ部が挟持され、上記防水カバーの柔軟性及び伸縮性により上記防水カバーの外側から上記操作レバーを操作できるように構成された漏電遮断器の防水装置。
【請求項２】
電装箱内に組み付けられて上記電装箱の開口から外方へ操作レバーが突出する漏電遮断器、及び、上記操作レバーを外側から覆って上記開口を塞ぐゴム状弾性体からなる防水カバーを有し、上記防水カバーの周囲にフランジ部が一体成形されるとともに、上記フランジ部の肉厚が、上記電装箱の開口縁より外方へ離れるに従って大きくなるように構成されており、上記電装箱の開口縁内面と上記漏電遮断器の端面との間で上記フランジ部が挟持され、上記防水カバーの柔軟性及び伸縮性により上記防水カバーの外側から上記操作レバーを操作できるように構成された漏電遮断器の防水装置。
【請求項３】
請求項１または請求項２において、上記漏電遮断器の側面が上記フランジ部から延び出した取付け部により覆われるように構成された漏電遮断器の防水装置。
【請求項４】
請求項３において、上記取付け部に内方へ突出するリブが形成され、同リブが上記漏電遮断器の側面へ弾力的に当接して、上記防水カバーが上記漏電遮断器の端面に装着されるように構成された漏電遮断器の防水装置。
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、冷蔵庫、冷凍庫、冷却貯蔵庫、製氷機、洗浄機等の電装機器、とくに、厨房機器における漏電遮断器に対し、その操作レバー付近から水滴等が内部に侵入することを防止する装置に関する。
【０００２】
【従来の技術】
漏電遮断器における従来の防水装置は、実開昭６４−２７９２０号公報や実開平１−１４２１４２号公報に示されているように、漏電遮断器ケースの上部を覆うゴム製防水カバーの袋部内へ漏電遮断器の操作ハンドルを没入させ、防水カバーの弾性を利用して、漏電発生時における操作ハンドルの変位、及び、リセット時における操作ハンドルの操作がそれぞれ可能となるようにしている。
【０００３】
しかしながら、これらの場合には、漏電遮断器ケースの突出した取付部に防水カバーを単に被せて取り付けており、上記ケースが通常は樹脂製であるため、防水カバーが取り付けられるケース取付部の側面には、成形時における金型からの抜き勾配が形成されているので、ケース取付部に防水カバーを一旦取り付けても、電装機器における電装箱へ漏電遮断器を組み付ける際に防水カバーが抜け落ちやすく、このため、電装箱への組立て作業性が比較的悪い不具合がある。
【０００４】
また、電装箱の外板と防水カバーとの接触はきわめてわずかであるに過ぎないので、操作ハンドルを操作したとき等に防水カバーが容易に移動して、ケース取付部に対する正規の取付け位置から外れ、従って、電装箱の表面にかかった水滴等が電装箱の内部へ侵入して、漏電を起こす心配がある。
【０００５】
他方、図８に示されているように、電装機器の電装箱１内に設置された漏電遮断器２の操作レバー３を電装箱１の開口４から外方へ突出させ、図中の矢印で示す操作レバー３の作動範囲を覆って電装箱開口４を塞ぐように、ゴム製防水カバー５のフランジ部６を電装箱１の内面に接着することにより、操作レバー３の操作性と電装箱開口４の防水性とを同時に確保することが考えられるが、この場合には、防水カバー５のフランジ部６に接着材を塗布してから、防水カバー５を電装箱１の内面に貼り付け、その後に、電装箱１内へ漏電遮断器２を組み付ける必要があるので、作業工数が増加すると共に接着材等の補助材料を要してコスト高を招くばかりではなく、防水カバー５のフランジ部６を電装箱１の内面に接着した後、電装箱１内へ漏電遮断器２を組み付ける必要があるため、その組み付け時に各部品の寸法誤差や組付け誤差等により操作レバー３及び防水カバー５間で相対的位置ずれが生じ、操作レバー３が防水カバー５に接触するようなことがあると、漏電時における操作レバー３の動作が防水カバー５の存在により抵抗を受けて、漏電遮断器２の正常な作動が制約されるおそれがある。
【０００６】
【発明が解決しようとする課題】
本発明は、電装機器の電装箱内に組み付けられる漏電遮断器において、その操作レバー付近から電装箱内へ水滴等が侵入することを簡単かつ確実に防止できるようにしようとするものである。
【０００７】
【課題を解決するための手段】
このため、本発明にかかる漏電遮断器の防水装置は、電装箱内に組み付けられて上記電装箱の開口から外方へ操作レバーが突出する漏電遮断器、及び、上記操作レバーを外側から覆って上記開口を塞ぐゴム状弾性体からなる防水カバーを有し、上記防水カバーの周囲に上記操作レバーを覆う部分よりも肉厚のフランジ部が一体成形され、上記電装箱の開口縁内面と上記漏電遮断器の端面との間で上記フランジ部が挟持され、上記防水カバーの柔軟性及び伸縮性により上記防水カバーの外側から上記操作レバーを操作できるように構成されている。
また、電装箱内に組み付けられて上記電装箱の開口から外方へ操作レバーが突出する漏電遮断器、及び、上記操作レバーを外側から覆って上記開口を塞ぐゴム状弾性体からなる防水カバーを有し、上記防水カバーの周囲にフランジ部が一体成形されるとともに、上記フランジ部の肉厚が、上記電装箱の開口縁より外方へ離れるに従って大きくなるように構成されており、上記電装箱の開口縁内面と上記漏電遮断器の端面との間で上記フランジ部が挟持され、上記防水カバーの柔軟性及び伸縮性により上記防水カバーの外側から上記操作レバーを操作できるように構成されている。
【０００８】
すなわち、漏電遮断器の操作レバーを外側から覆う防水カバーの周囲にフランジ部が一体成形され、電装箱の開口縁内面と漏電遮断器の端面との間でフランジ部が挟持されているので、電装箱及び漏電遮断器間に対する防水カバーの装着はきわめて簡単であり、従って、電装箱内へ漏電遮断器を組み付ける作業性を容易に向上させることができる。
【０００９】
また、電装箱の開口縁内面と漏電遮断器の端面との間で挟持されるフランジ部は、任意に広く成形されているため、電装箱内へ漏電遮断器を組み付ける場合、各部にいくぶんの誤差等があっても、電装箱及び漏電遮断器間の上記挟持作用を常に強く確保することができるので、操作レバーの操作等により防水カバーが引っ張られるようなことがあっても、防水カバーの位置ずれや抜けを確実に防止することができる。
【００１０】
さらに、防水カバーのフランジ部から延び出して漏電遮断器の側面を覆う取付け部に内方へ突出するリブを形成して、そのリブが漏電遮断器の側面へ弾力的に当接することにより、防水カバーが漏電遮断器の端面へ装着されるように構成すれば、電装箱内へ漏電遮断器を組み付ける場合に漏電遮断器の端面から防水カバーが抜け落ちる心配がなくなり、従って、漏電遮断器の組付け作業性を一層向上させることが可能となる。
【００１１】
【発明の実施の形態】
以下、本発明の実施形態例につき、各実施形態例の同等部分にはそれぞれ同一符号を付けて説明する。図１〜図４において、冷蔵庫、冷凍庫、冷却貯蔵庫、製氷機、洗浄機等の厨房機器に装備される漏電遮断器１０は、端面１１に断面角形の側面１２が形成されていると共に、水平軸１３により内部で枢支されて、漏電遮断器１０の開口１４から電装箱１５の開口１６を通って外方にまで一端が突出した操作レバー１７と、前後方向に摺動可能なテストボタン１８とが設けられ、操作レバー１７は図１の実線で示す漏電遮断器１０投入時の位置と、図１の２点鎖線で示す漏電遮断器１０の遮断作動時の位置との間を開口１４に沿って上下に変位することができるようになっている。
【００１２】
また、シリコンゴム等の透明もしくは半透明なゴム状弾性体からなる防水カバー２０は中央膨出部２１の全周に他の部分よりも肉厚の角形フランジ部２２が一体成形されて、その内面に段差部２３が形成されていると共に、フランジ部２２には直角に折れ曲がった取付け部２４が全周に形成され、取付け部２４の先端内面には内方へ突出する断面略三角形のリブ２５が設けられている。
【００１３】
さらに、電装箱１５の本体３０内にねじ止めされた断面略Ｌ字状のアングル材３１に漏電遮断器１０がねじ３２で固定され、防水カバー２０の段差部２３内及び取付け部２４内に漏電遮断器１０の端面１１が嵌入されて、取付け部２４先端のリブ２５が端面１１の側面１２へ弾力的に当接することにより、漏電遮断器１０の端面１１に防水カバー２０が被せられて、取付け部２４が漏電遮断器１０の側面１２を覆うようにし、その後、本体３０の前面に電装箱１５の前蓋３３が取り付けられて、開口１６を通り外方へ操作レバー１７の一端が突出するようにされ、それによって電装箱１５に漏電遮断器１０が組み付けられることとなるが、このとき、電装箱１５における開口１６の縁部内面と漏電遮断器端面１１との間で肉厚のフランジ部２２が挟持されている一方、漏電遮断器１０の投入時及び遮断作動時の間における操作レバー１７の全変位範囲と防水カバー中央膨出部２１の内面との間には小隙が設けられた状態で、防水カバー２０が操作レバー１７を外側から全体的に覆い、かつ、電装箱開口１６を塞ぐようにされている。
【００１４】
すなわち、防水カバー２０の段差部２３内及び取付け部２４内に漏電遮断器１０の端面１１を嵌入させて、取付け部２４先端のリブ２５を端面１１の側面１２へ当接させることにより、漏電遮断器端面１１に防水カバー２０を装着すると、取付け部２４の弾性により防水カバー２０が漏電遮断器端面１１から外れにくいので、電装箱１５内へ漏電遮断器１０を組み付ける場合に漏電遮断器端面１１から防水カバー２０が抜け落ちる心配がなくなり、他方、電装箱１５内へ漏電遮断器１０を組み付ければ、防水カバー２０が操作レバー１７を外側から全体的に覆って、電装箱開口１６を自動的に塞ぐこととなり、その際、電装箱開口１６の縁部内面と漏電遮断器端面１１との間に挟持されたフランジ部２２は、その全周にわたって接触面積が比較的大きいため、電装箱開口１６に対するシール性が良好であるので、前記のように電装箱１５内面と防水カバー２０とをわざわざ接着する作業も不要となり、従って、電装箱１５に対する漏電遮断器１０の組付け作業を短時間で簡単に遂行することができ、かつ、接着材等の補助材料も不要化できて、容易にコスト低減を図ることができる。
【００１５】
また、電装箱開口１６の縁部内面及び漏電遮断器端面１１間で挟持された防水カバー２０のフランジ部２２は、全周にわたる挟持部分での各接触面積が比較的大きく、かつ、肉厚に成形されているので、電装箱１５内へ漏電遮断器１０を組み付ける場合に、各部品の寸法誤差や組付け誤差が多少あっても、それらの誤差は肉厚フランジ部２２での広い接触面積及び弾力性により吸収して、フランジ部２２に対する上記挟持作用を常に強く確保させることができるので、防水カバー２０による電装箱開口１６及び漏電遮断器１０間のシール作用により、電装箱１５内への水滴の侵入を常に防止して、漏電事故の発生を阻止することができることはもちろんのこと、防水カバー２０の柔軟性及び伸縮性を利用して、漏電遮断器１０の遮断作動時に防水カバー２０の外側から操作レバー１７を操作する場合のように、防水カバー２０に上下左右へ引張力等が作用しても、防水カバー２０の位置ずれや抜けを確実に防止することができ、従って、電装箱開口１６及び漏電遮断器１０間の上記シール作用が損なわれることはない長所がある。
【００１６】
しかも、上記のように防水カバー２０の位置ずれを確実に防止することができるため、操作レバー１７と防水カバー中央膨出部２１内面との間に常に小隙を確保することができて、操作レバー１７の先端が防水カバー中央膨出部２１内面と接触することがないので、仮に防水カバー２０が経時硬化を起こすようなことがあっても、漏電時における漏電遮断器１０の遮断作動に伴う操作レバー１７の変位は防水カバー２０の存在によって何ら阻害されることがないので、漏電遮断器１０により保護されるべき電気機器の安全性を確保でき、かつ、漏電遮断器１０の保守を長期にわたって良好に維持して、漏電遮断器１０自体の信頼性を高めることができる。
【００１７】
さらに、防水カバー２０がゴム状弾性体からなっているため、柔軟性及び伸縮性を有していると共に、防水カバー２０の内壁面と操作レバー１７の先端との間には小隙が設けられているにすぎないので、漏電遮断器１０の投入時における操作レバー１７を防水カバー２０の外側から容易に押し下げて、図１の２点鎖線で示す漏電遮断器１０の遮断作動時における位置にまで操作レバー１７を手動操作することができ、また逆に、漏電遮断器１０の遮断作動時における操作レバー１７を防水カバー２０の外側から容易に押し上げて、漏電遮断器１０の投入時における位置にまで操作レバー１７を手動操作することができる。
【００１８】
これらの場合、防水カバー２０が透明もしくは半透明であるため、操作レバー１７の各位置を外方から容易に認知することができるので、操作レバー１７の操作を簡単かつ確実に行うことができる。
【００１９】
なお、防水カバー２０は、図５及び図６にそれぞれ例示されているように、電装箱開口１６の縁部内面に対向する漏電遮断器端面１１の傾斜した形状と合致するよう、電装箱開口１６から取付け部２４に向かって外方へ離れるに従いそれぞれ厚みが増加する肉厚フランジ部４０、４１を全周に一体成形させて、その内面にそれぞれ段差部４２、４３を設けるようにし、他の部分はそれぞれ上記実施形態例と同等に構成させることも可能であって、この場合には、フランジ部４０、４１の肉厚を容易に増加させて、それぞれ上記実施形態例と同等の作用効果を奏することができると共に、漏電遮断器１０の遮断作動時に防水カバー２０の外側から操作レバー１７を操作して、防水カバー２０に上下左右へ引張力等が作用する場合であっても、防水カバー２０の位置ずれや抜けを一層確実に防止することができる特色がある。
【００２０】
また、図７に例示されているように、上記各実施形態例における段差部を省略して防水カバー２０の形状を簡素化し、電装箱１５に漏電遮断器１０が組み付けられたとき、電装箱１５における開口１６の縁部内面と漏電遮断器端面１１との間で防水カバー２０における厚肉のフランジ部２２を挟持するようにしても、上記各実施形態例と同様な作用効果を奏することができるのはいうまでもない。
【００２１】
【発明の効果】
本発明にかかる漏電遮断器の防水装置にあっては、漏電遮断器の操作レバーを外側から覆う防水カバーの周囲に肉厚のフランジ部が一体成形され、漏電遮断器端面と電装箱の開口縁内面との間でフランジ部が挟持されて、電装箱及び漏電遮断器間に防水カバーを確実かつ簡単に装着することができるため、防水カバーの接着作業を不要とすることができるので、防水カバーと共に漏電遮断器を電装箱に組み付ける作業時間を容易に短縮化することができ、また、従来のように接着材等の補助材料を全く必要としないので、コストを低く抑制することができる。
【００２２】
さらに、防水カバーのフランジ部が肉厚に形成されて、電装箱及び漏電遮断器間におけるフランジ部の挟持作用が常に強く確保され、防水カバーの位置ずれや抜けは確実に防止することができるので、電装箱内への水滴の侵入を常に防止して、漏電事故の発生を阻止することができる一方、操作レバーと防水カバーとの接触による操作レバーの作動不良をなくして、漏電遮断器により保護されるべき電気機器の安全性と漏電遮断器自体の信頼性とを容易に高めることができる。